(57)【特許請求の範囲】
【請求項１】
半球部と、ツバ部と、前記半球部と前記ツバ部との間の円筒部とを有するドームカバーであって、
前記円筒部に、外面が凹んだ薄肉部を有し、
前記薄肉部の幅は、前記半球部側が長く、前記ツバ部側が短いことを特徴とするドーム型カバー。
【請求項２】
半球部と、ツバ部と、前記半球部と前記ツバ部との間の円筒部とを有するドームカバーであって、
前記円筒部に、外面が凹んだ薄肉部を有し、
前記薄肉部は、ゲート痕と反対側に形成されていることを特徴とするドーム型カバー。
【請求項３】
前記薄肉部の幅は、前記半球部側が長く、前記ツバ部側が短いことを特徴とする請求項２記載のドーム型カバー。
【請求項４】
前記薄肉部の厚さは、前記半球部側が厚く、前記ツバ部側が薄いことを特徴とする請求項１乃至３いずれか一項記載のドーム型カバー。
【請求項５】
前記ツバ部の一部に切り欠きを有することを特徴とする請求項１乃至４いずれか一項記載のドーム型カバー。
【請求項６】
前記ツバ部の一部に薄肉部を有することを特徴とする請求項１乃至５いずれか一項記載のドーム型カバー。
【請求項７】
請求項１乃至６いずれか一項に記載のドーム型カバーを有するカメラ。
【請求項８】
樹脂を注入するためのゲートと、ツバ部を成形するための凹形状部と、薄肉部を成形するための凸形状部と、容積を拡張するための円筒部の外面を成形するための成形部と、を有するストリッパープレートと、半球部の外面を成形するための凹面型と、前記半球部および前記円筒部の内面を成形するための凸面型との間にキャビティを形成し、前記キャビティに前記ゲートから樹脂を注入してドーム型カバーを製造することを特徴とするドーム型カバーの製造方法。
【請求項９】
前記凸形状部は、前記ゲートからの樹脂が前記キャビティに最後に充填される位置に形成されていることを特徴とする請求項８記載のドームカバーの製造方法。
【請求項１０】
前記凸形状部は、前記ツバ部に向かって幅が短くなる形状であることを特徴とする請求項８または９記載のドーム型カバーの製造方法。
【請求項１１】
前記円筒部の外面を成形するための成形部は、ツバ部に向かって開口径が大きくなるように型開方向に対して傾斜した形状を有し、前記凸形状部は、前記傾斜より緩やかな傾斜した形状あるいは型開方向と平行方向に形成され、前記ツバ部に向かって突出量が大きくなっていることを特徴とする請求項８乃至１０いずれか１項記載のドーム型カバーの製造方法。
【請求項１２】
樹脂を注入するためのゲートと、ツバ部を成形するための凹形状部と、薄肉部を成形するための凸形状部と、を有するストリッパープレートと、
外面を成形するための凹面型および前記ストリッパープレートと、内面を成形するための凸面型との間にキャビティが形成されることを特徴とするドーム型カバー成形用金型。
【請求項１３】
前記凸形状部は、前記ツバ部に向かって幅が短くなる形状であることを特徴とする請求項１２記載のドーム型カバー成形用金型。
【請求項１４】
ストリッパープレートにより形成されるキャビティは、ツバ部に向かって開口径が大きくなるように型開方向に対して傾斜した形状を有し、前記凸形状部は、型開方向と平行方向に形成されツバ部に向かって突出量が大きくなっていることを特徴とする請求項１２または１３記載のドーム型カバー成形用金型。
【発明の詳細な説明】
【技術分野】
【０００１】
本発明は、プラスチック射出成形で製造する監視カメラ用等のドーム型カバー、ドーム型カバーの製造方法、ドーム型カバー成形用金型、およびカメラに関するものである。
【背景技術】
【０００２】
近年、監視用のネットワークカメラの普及が進んでいる。多種多様のカメラが街頭、公共施設、個人家屋を問わず、いたるところに設置されている。その中で、カメラをドーム型カバーに収容したタイプが存在する。図１０（ａ）はドーム型カバーを有するカメラの模式図である。内部のカメラを描写するために、ドーム型カバーのみ断面図で記している。ドーム型カバー１０４の内部でレンズ鏡筒１０９は三次元的に自在に向きを変えることができ、任意の撮影方向を選択して監視が可能である。旋回方向１０２をパン、上下傾き方向１０１をチルトと表現する。一般的にパン、チルトの角度表記によってカメラの向きを表現する。カメラが水平方向を向いているときチルト角は０°である。カメラが天頂方向を向いているとき、チルト角は９０°である。【０００３】
ドーム型カバーは風雨による劣化や、いたずらによる殴打や汚損からカメラを保護する機能を有する。ドーム型カバーは外装部品でもあり、カメラの光学系の一部でもある。図１０（ｂ）にドーム型カバー単体の全体図を示す。半球状の光学有効領域１０５はレンズと同等の高精度な形状精度が求められる。前記半球面は開口端が略円筒形状１０６と連結されており、前記略円筒部の端部はフランジ状のツバ部１０７を有する。前記略円筒部１０６はカメラを収容する内容部体積を拡張するための形状である。前記ツバ部７はドーム型カバーをカバー鏡筒１０８と接合するための形状である。【０００４】
大量生産に対応するために、ドーム型カバーはプラスチック射出成形で製造されることが一般的である。例えばカップ型の容器等は、ホットランナーによるピンゲートを形状中心部に配置し、成形むらを抑制するために流動末端となる、容器開口縁全周まで均等な流動長で成形することが一般的である。【０００５】
しかし、ドーム型カバー半球状の光学有効領域は高精度な形状精度が求められ、その部分にゲートを設けることはできない。光学有効領域にゲートを設けると、光学面にゲート痕が残り、カメラ撮影を阻害する。このため、ドーム型カバーにおいては、カップ型容器と同様の製造方法を適用することができない。図１１に示すように、形状中心部１１４ではなく、ツバ部１０７の一端にサイドゲート１１２を設けることが一般的である。【０００６】
該サイドゲート方式を用いた場合、最終流動部となる反ゲート側のツバ部１１３まで樹脂が流れる経路として、大別して二つの経路が存在する。一つはゲートから真っすぐ前記略円筒部１０６を立ち上がり、半球部１０５の天頂（形状中心部）１１４を経由して反ゲート側のツバ部１１３に至る経路１１６である。もう一つは、ゲートから略円筒部１０６の円周方向に回り込んで反ゲート１１３に至る経路１１５である。これら２つの経路の長さを比較すると、前者の方が略円筒部の高さｋの約２倍分だけ長くなる。すなわち、天頂経由の流動が遅れ、円周方向からの流動が先行する。図１２（ａ）は反ゲート側から樹脂充填完了直前ドームを見た正面図である。図１２（ｂ）は反ゲート側から樹脂充填完了直後のドームを見た正面図である。円周方向からの流動が先行することで、反ゲート側の樹脂が円筒部において直線状に合流する（角度ａが小さい）。前記角度ａが小さいほど樹脂のフローフロントの合流領域が縦に一直線状に長く延び、合わせ目としてウエルド１１７が残りやすくなる。ウエルド１１７は成形むらとして光学性能が低下する要因となる。高倍率のカメラほど本体が大きくなるため、ドームの径は大きくなり、略円筒部の高さｋのサイズも大きくなる傾向にあるため、ウエルド発生が顕著になる。【０００７】
特許文献１では、天頂部の肉厚を厚くすることで、天頂経由の樹脂流動を促進させている。また、ドーム型カバーの開口端に沿って薄肉部を設けることにより、円周方向の樹脂流動を遅延させている。
【先行技術文献】
【特許文献】
【０００８】
【特許文献１】特開２０００−１５６８１０号公報
【発明の概要】
【発明が解決しようとする課題】
【０００９】
しかしながら、特許文献１のように天頂方向のカバー肉厚が大きくなるような構成にすると、次のような課題がある。カバーの肉厚差の影響により、画質が劣化する。また、ドーム型カバー開口端に沿って薄肉部を設けているが、このような形状を作るためには凸面金型の側面に前記薄肉部を転写するための形状を加工しなければならない。このような加工は難易度が高く、形状の微調整も難しい。
【課題を解決するための手段】
【００１０】
上記の課題を解決するために、本発明のドームカバーは、環半球部と、ツバ部と、前記半球部と前記ツバ部との間の円筒部とを有するドームカバーであって、
前記円筒部に、外面が凹んだ薄肉部を有し、前記薄肉部の幅は、前記半球部側が長く、前記ツバ部側が短いことを特徴とする。
あるいは、本発明のドームカバーは、半球部と、ツバ部と、前記半球部と前記ツバ部との間の円筒部とを有するドームカバーであって、
前記円筒部に、外面が凹んだ薄肉部を有し、
前記薄肉部は、ゲート痕と反対側に形成されていることを特徴とする。
【００１１】
本発明のカメラは、上記のドーム型カバーを有する。【００１２】
本発明のドーム型カバーの製造方法は、樹脂を注入するためのゲートと、ツバ部を成形するための凹形状部と、薄肉部を成形するための凸形状部と、容積を拡張するための円筒部の外面を成形するための成形部と、を有するストリッパープレートと、半球部の外面を成形するための凹面型と、前記半球部および前記円筒部の内面を成形するための凸面型との間にキャビティを形成し、前記キャビティに前記ゲートから樹脂を注入してドーム型カバーを製造することを特徴とする。【００１３】
本発明のドーム型カバー成形用金型は、樹脂を注入するためのゲートと、ツバ部を成形するための凹形状部と、薄肉部を成形するための凸形状部と、を有するストリッパープレートと、外面を成形するための凹面型および前記ストリッパープレートと、内面を成形するための凸面型との間にキャビティが形成されることを特徴とする。
【発明の効果】
【００１４】
本発明によれば、簡単な方法でウエルドの発生を抑制し、光学性能が良好なドーム型カバーを得ることができる。
【図面の簡単な説明】
【００１５】
【図１】第一の実施形態に係わるドーム型カバーを説明する図
【図２】第一の実施形態に係わるドーム型カバーの金型を説明する図
【図３】第一の実施形態に係わる変形例を説明する図
【図４】第二の実施形態に係わるドーム型カバーを説明する図
【図５】実施例を説明する図
【図６】ウエルドを説明する図
【図７】比較例２を説明する図
【図８】比較例２のウエルドを説明する図
【図９】実施例、比較例２を説明する図
【図１０】（ａ）ドーム型カバーを有するカメラ（カバーのみ断面図）、（ｂ）ドーム型カバー
【図１１】サイドゲートで成形するドーム型カバー
【図１２】（ａ）反ゲート側における樹脂の合流角度、（ｂ）反ゲート側で発生するウエルド
【発明を実施するための形態】
【００１６】
（第一の実施形態）
本発明に係るドーム型カバーの一例である第一の実施形態について図１を用いて説明する。
【００１７】
図１（ａ）は、ドーム型カバーの半球部の開口端を下に向けた状態の上面図である。図１（ｂ）は、図１（ａ）のＡ−Ａ´断面図である。図１（ｃ）は、図１（ａ）のＹ方向から見た正面図である。図１（ｄ）は、薄肉部の変形例である。図１（ｅ）は、図１（ｄ）のＹ方向から見た充填完了直前の正面図である。
【００１８】
１２はドーム型カバーをプラスチック射出成形により製造する際、ドーム型カバーの形状をした空間（キャビティ）に樹脂を注入するための入り口であるゲート、２１はランナーである。このゲート１２、ランナー２１は、除去されドーム型カバーが製造されるが、ドーム型カバーのゲート１２が除去された部分を、本明細書においてはゲート痕と称する。５は、半球部である。半球部の外側（上側）の面を外面、内側（下側）の面を内面と称する。半球部５は外面も内面もすべて表面粗さが非常に小さい面（鏡面）であり、レンズと同等の高精度な形状精度を有する。半球部５は開口端が円筒部６と連結されており、円筒部６の半球部５と反対側の端部は、フランジ状のツバ部７を有している。本明細書においては、半球部５とツバ部の間の部分を円筒部（つなぎ部）と称する。円筒部６（つなぎ部）においても、半球部の外面とつながる面を外面、半球部の内面とつながる面を内面と称する。前記ツバ部７はドーム型カバーをカバー鏡筒（図１０（ａ）における１０８参照）と接合するための形状である。
【００１９】
４２は、ゲート１２から注入された樹脂が、最後に充填される最終充填部を示している。本実施形態においては、最終充填部４２は、ゲート１２と反対側の反ゲート部１３となる。本実施形態におけるドーム型カバーは、ゲート１２−反ゲート１３を結ぶ中心線４１に対して、対称形となっている。半球部の中心としてゲートの位置を原点０°とし、反時計回りを正方向とするとき、最終充填部４２の角度は１８０°である。例えば、ｐ＝１６７°、ｑ＝１９３°とし、ｐ＜１８０°＜ｑとなるように薄肉部２０を配置する。薄肉部２０は強調するために塗りつぶし表記で表している。
【００２０】
円筒部６の少なくとも外面は、ツバ部７に向かって開口径が大きくなるように傾斜した形状を有している。光軸Ｔに対して角度Ｘ°だけ、ツバ部７に向かって径が大きくなるように傾斜している。角度Ｘは５°以上１０°以下が好ましい。大きすぎると、広角（チルト０°等）で撮影時の解像度が低下する。小さすぎると、抜き勾配が小さくなるため離型できない場合がある。
【００２１】
２０は、円筒部（つなぎ部）６の外面が凹んだ薄肉部である。薄肉部以外の円筒部（つなぎ部）６は、光軸Ｔに対してＸ°傾斜しているのに対し、薄肉部２０は、傾斜角度が光軸に対してＸ°より小さい角度になっている。あるいは傾斜角度が０°（光軸と平行な方向）であってもよい。これにより肉厚を薄くしている。つまり、前記薄肉部の厚さは、前記半球部側が厚く、前記ツバ部側が薄くなる。このようにすることで、射出成形する際、アンダーカットにならないため、凹部であっても離型させることが可能となる。
【００２２】
また、本実施形態の薄肉部２０は、図１（ｃ）に示すように長方形であってもよいし、図１（ｄ）に示すように、薄肉部２０の幅が、前記半球部側が長く、前記ツバ部側が短い形状であってもよい。形状はこれに限らず、例えば図３に示すように五角形としてもよい。図３の形状においては、薄肉部２０の上部において前記幅ｇが半球部５側からツバ部７に近づくにつれて等距離の領域ｎがある。一方、それよりも下部では、前記幅ｇが半球部５側からツバ部７に近づくにつれて狭くなっている。アンダーカットにならなければ、薄肉部の輪郭は曲線でも良い。
【００２３】
これらの薄肉部２０は、いずれの形状も、図１（ｅ）に示すように、薄肉部２０の両上端部１９と１９´が離間している。薄肉部２０は未充填部のため破線表記してある。薄肉部２０を、最終充填部４２（本実施形態においては反ゲート部１３）に配置することにより、ゲートから円筒部６（つなぎ部）の円周方向を流れてきた樹脂の流れが抑制される。そのため、ゲートから半球部５の天頂（形状中心部）を経由して反ゲート側に至る経路を流れてきた樹脂の流れが追いつき、流れを抑制された樹脂との合流のタイミングが改善され、つなぎ部６の円周方向に流れてきた樹脂同士の正面衝突を防ぐことができる。このことは、図１（ｅ）の樹脂の合流角度ａが従来例に比べて大きくなっていることからもわかる。これによりウエルドの発生を抑えることができる。樹脂合流角ａが開いて鈍角になるほど円周方向の樹脂のフローフロントの正面衝突を抑え、合わせ目（ウエルド）が残りづらくなる。ウエルドの発生を抑えることで成形むらを抑え、光学性能の低下を防ぐことができる。前記樹脂合流角ａを鈍角にする効果があるのは、薄肉部２０の両上端部１９と１９´が円筒部（つなぎ部）６の円周方向に沿って離間していること、つまり、薄肉部２０の幅が、前記鏡面部側が長いことが大きく関係している。薄肉部２０の幅は、前記鏡面部側が長いほどウエルドの発生を抑えることができるが、ｑ−ｐが３°以上４０°以下がより好ましい。大きすぎると薄肉部が増大し製品強度が低下し、小さすぎるとウエルド抑制効果が低下する。
【００２４】
その結果、ウエルドの発生を抑制し、光学性能が良好なドーム型カバーを得ることができる。よって、このドーム型カバーを有するカメラは、高画質の画像を撮影することが可能となる。
【００２５】
図１（ｄ）のように薄肉部２０の幅が、前記半球部側が長く、前記ツバ部側が短い形状とした場合、薄肉部による体積減少を小さくすることができるため、製品の強度の低下を抑えることができる。また、前記薄肉部２０は前記つなぎ部６の外側に設けることによって、薄肉部の調整をより簡略化することができる。
【００２６】
次に、本実施形態のドーム型カバーの製造方法について説明する。上記ドーム型カバーを射出成形するドーム型カバー成形用金型を図２に示す。図２（ａ）は金型が閉まった状態で樹脂を充填完了したときの図である。図２（ｂ）は金型が開いて突き出しが完了した図である。
【００２７】
２４は固定側ダイセット、２５は半球部およびつなぎ部の内面を成形するための凸面型、２６はスプルーブシュ、２８は可動側ダイセット、２９は半球部の外面を成形するための凹面型である。３３はストリッパープレート、３２はセンターピン、３０はスプルー、２２７はゲート、２７はランナー、３１はドーム型カバー成形品である。
【００２８】
ストリッパープレート３３の内周面には、ツバ部を成形するための凹形状部２３３と、容積を拡張するためのつなぎ部の外面を成形するための成形部２３４が加工されている。また、前記ゲートの反対側に、薄肉部２０を転写する（成形する）凸形状部が加工されている（不図示）。
【００２９】
また、ストリッパープレート３３には樹脂を注入するためのゲート２２７、ランナー２７も形成される。
【００３０】
そして、ストリッパープレート３３と、凹面型と、凸面型との間に形成される空間部（キャビティ）に、スプルー３０、ランナー２７、ゲート２２７から溶融樹脂を流し込む。
【００３１】
樹脂材料は例えばポリカーボネートを使用することができる。
【００３２】
そして、図２（ｂ）に示すように、樹脂の冷却が完了して、金型が開くと、凸面金型から成形品が離型し、さらにストリッパープレート３３とセンターピン３２が突き出ることにより、凹面金型から成形品が離型する。さらに、エジェクタピン（不図示）を突き出して成形品を突き出すことにより、ストリッパープレート３３と成形品が離型し、離型が完了する。
【００３３】
凸形状部（不図示）は、前記ツバ部に向かって幅が短くなる形状が加工されていることが好ましい。さらに、ストリッパープレート３３の内周面に加工されるつなぎ部の外面を成形するための成形部２３４は、ツバ部に向かって開口径が大きくなるように型開方向に対して傾斜した形状を有している。そして、凸形状部（不図示）は、前記傾斜より緩やかな傾斜した形状あるいは型開方向と平行方向に形成されている。つまり、前記ツバ部に向かって突出量が大きくなっている。この構成にすることで、アンダーカットを防ぎ、エジェクタピンにより離型させることができる。
【００３４】
また、このような構成にすると、ストリッパープレートを交換することによって、薄肉部の形状や配置を自在に変更することが可能である。
【００３５】
さらに、ドーム型カバーは金型と密着する面積が大きいため、ストリッパープレートを使用することによって、エジェクタピンと比較して安定した離型が可能となる。
【００３６】
（第二の実施形態）
本発明に係るドーム型カバーの一例である第二の実施形態について図４を用いて説明する。
【００３７】
第一の実施形態と同じ機能を有する部分については同じ符号を付し、説明を省略する。
【００３８】
図４（ａ）は、ドーム型カバーの半球部の開口端を下に向けた状態の上面図である。図４（ｂ）は、図４（ａ）のＤ−Ｄ´断面図である。図４（ｃ）は、図４（ａ）のＹ方向から見た正面図である。図４（ｄ）は、図４（ａ）のＹ方向から見た充填完了直前の正面図である。
【００３９】
本実施形態のドーム型カバーは、ツバ部７において、ゲート‐反ゲートを結ぶ中心線４１に対して、非対称な位置に切り欠き４５を有する。この切り欠き４５が流動抵抗となるため、図４（ａ）においてゲート１２から反時計周りにつなぎ部６の周方向を回り込む樹脂の流動が、時計周りの樹脂の流動と比べて先行する。そのため、最終充填部の位置が反ゲート部１３からずれる。図４（ｄ）は最終充填部４２が反ゲート部１３からずれた位置となっていることを示している。図４（ａ）に示すように、半球部の中心としてゲートの位置を原点０°、反時計回りを正方向とするとき、最終充填部４２の角度は、例えば２２０°である。例えば、ｐ＝２０７°、ｑ＝２３３°とし、ｐ＜２２０＜ｑとなるようにつなぎ部６に逆台形状の薄肉部２０を配置すればよい。
【００４０】
本実施形態は、最終充填部４２において、流動の障害となる薄肉部を設け、樹脂合流角を鈍角化することにより、ウエルドを抑制する技術である。そのため、最終充填部付近を中心として、薄肉部２０を配置することで効果が得られる。図４（ａ）に示すように、本実施形態では、つなぎ部６における薄肉部２０に加えて、ツバ部７にも薄肉部４６を形成した。このような構成とすることにより、樹脂の合流角度がより鈍角になり、ウエルド低減効果が高まる。
【００４１】
ドーム型カバーの形状は、ゲート側−反ゲート側を結ぶ線に対して線対称なものが一般的である。そのため、最終充填部は反ゲート側になる場合が多い。しかし、カメラ鏡筒との組みつけや、他の製品設計との関係で、本実施形態に示すようにドーム型カバーの形状が非対称となることがある。このような場合、最終充填部となる位置に対応して薄肉部を配置する。
【００４２】
ドーム型カバーの形状が対称形であっても、金型温度分布や、キャビティ内のガス逃げの不均一性から、最終充填部が反ゲートツバ部１３からずれる場合もある。このような場合においても、実施例２と同様に、最終充填部となる位置に対応して薄肉部２０を配置することで同様の効果が得られる。
【実施例】
【００４３】
次に本発明の実施例について説明する。【００４４】
図５（ａ）に示すのは本実施例で成形した、ドーム型カバーの半球部の開口端を下に向けた状態の上面図である。図５（ｂ）は、図５（ａ）のＣ−Ｃ´断面図である。図５（ｃ）は、図５（ａ）のＺ方向から見た正面図である。【００４５】
図５（ｂ）に示すように、ドームのツバの外形は直径１８０ｍｍであった。半球部５外側の半径は８０ｍｍ、半球部５内側の半径は７７．８ｍｍであった。面取り部等の局所を除いて全体的に均等な厚みであり、厚みは２．２ｍｍであった。ツバ部７底から天頂１４までの距離は１０９．１ｍｍであった。つなぎ部６は５°の勾配がついていた。ゲート‐反ゲートを結ぶ中心線４１に対して線対称形であった。【００４６】
ツバ部７底からつなぎ部６の一部までの一定領域ｍはドーム型カバーをカバー鏡筒に組み付けたときに外観上見えなくなる領域である。本実施例ではｍ＝１０ｍｍであった。【００４７】
カメラの視野に入る範囲から外れていれば、つなぎ部６の任意の位置に薄肉部２０を設けることは可能である。しかし、製品のデザインを考慮すると、前記薄肉部２０は外部から見えない領域にあることがより望ましい。図５（ｃ）に示すように、本実施例では薄肉部２０の上部幅ｇ＝３６．５ｍｍ、下部幅ｆ＝８．６ｍｍ、高さｈ＝６．６ｍｍとし、製品組み込み状態で薄肉部２０を目視できないようにした。【００４８】
本実施例に示すドームは最終充填部４２が反ゲート部１３であった。半球部の中心としてゲート位置を原点０°、反時計回りを正方向とするとき、最終充填部４２の角度は１８０°であった。ｐ＝１６７°、ｑ＝１９３°とし、ｐ＜１８０＜ｑとなるように逆台形状の薄肉部２０を配置した。【００４９】
この他に薄肉部２０を８箇所、ゲート−反ゲートを結ぶ中心線４１に対して線対称に配置した。反ゲート部１３配置以外の薄肉部２０は、つなぎ部６を回り込む樹脂の流動抵抗となり、ウエルドをさらに抑制する効果があった。また、射出成形後の成形品が均一に収縮するように、薄肉部の配置は対称である方が好ましい。薄肉部をゲート直下に設けると、半球部の中心方向（天頂方向）の流動を阻害することになるため、ウエルドが悪化する。そのため、薄肉部はゲート直下領域を避けた。【００５０】
比較例１として、ストリッパープレート３３の内周面に何も形状を設けずに成形した場合と、本実施例と、成形品で発生したウエルドの範囲の比較を行った。【００５１】
図６（ａ）は本実施例のウエルド１７のスケッチである。図６（ｂ）はなにも形状を設けない場合のウエルド１７のスケッチである。双方とも反ゲート側から見た正面図である。【００５２】
本実施例ではウエルド１７の範囲はツバ部７と薄肉部２０の一部のみであり、光学的には影響のない範囲にとどまった。一方、なにも形状を設けなかった比較例１では、ウエルド１７の範囲は光学有効域である半球部５まで及び、品質の低下がみられた。【００５３】
本実施例では全ての薄肉部を同じ形状としたが、必ずしも同じ形状である必要はない。しかし、線対称性を崩すような形状と配置にすると、流動抵抗に差異が発生し、最終充填部が変化して、それに伴って最終充填部に対応する位置に配置する薄肉部２０の位置も動かす必要がある。そのため、特段の理由がない場合は、同じ形状とする方が望ましい。【００５４】
比較例２として、薄肉部の形状を台形状とした場合と、成形品で発生したウエルドの範囲の比較を行った。【００５５】
比較例２の形状は薄肉部の形状が台形状であり、反ゲート側から見た正面図を図７（ａ）に示す。台形状の薄肉部をドーム型カバー外側に設けると、アンダーカットとなるため離型することができない。そのため、先行文献２にみられるようにドームの開口端に沿ってカバーの内側に設けた。図７（ａ）の薄肉部はドームカバー内面に存在し、外からは目視できないため破線で表記する。上部幅ｇ＝８．６ｍｍ、下部幅ｆ＝３６．５ｍｍ、高さｈ＝６．６ｍｍとした。本実施例と同様に薄肉部は反ゲート部１３の他に８箇所、ゲート−反ゲートを結ぶ中心線に対して線対称に配置した。【００５６】
比較例２の形状は本実施例と比べて、薄肉部の形状が上下逆転しているだけであり、その他の形状は同様である。薄肉部による体積減少量も約同等であるため、製品強度も約同等である。【００５７】
図７（ｂ）、図７（ｃ）は比較例２の形状を射出成形する凸面金型である。ドーム型カバーの内側に薄肉部を設けるためには、図７（ｂ）に示すように、凸面型４４の側面に前記薄肉部を転写する形状３４を加工する必要がある。しかし、金型にこのような形状を加工することは非常に困難であることがわかった。ドームカバーはサイドゲートからの樹脂の流れが三次元的であるため、流動解析シミュレーションでウエルドを高精度に予測できない場合がある。そのため、実際の成形の状態を見ながら薄肉部の形状を変更して、流動の調整を行う用意が必要であることがわかった。【００５８】
このような想定をした場合、比較例２の凸面型４４では薄肉部の形状や配置を修正する際に、高精度で加工された鏡面部分を含めた凸面型４４全体を作り直す必要があるため、容易に調整や修正ができない問題があることがわかった。【００５９】
図７（ｂ）に示すように、凸面型４４を半球部３７と脚部３５に分割して、脚部３５に薄肉部転写形状３４を加工することで、上記問題はある程度解決できるが、半球部３７と脚部３５の軸合わせが困難となる。軸ズレがあると光学性能の低下や、アンダーカット形状が発生し、成形できなくなるといった課題が発生することがわかった。【００６０】
これと比較して、本実施例は、薄肉部２０の形状変更の際に、円環状部品であるストリッパープレート３３を作り替えるだけあるため、容易かつ安価に実施可能である。【００６１】
図８は比較例２のウエルド１７のスケッチである。【００６２】
比較例２のウエルド１７はツバ部７、薄肉部２０、そして略円筒部６の途中まで発生した。【００６３】
比較例２は比較例１と比べてウエルド１７は改善する。これは、開口端に沿って複数の薄肉部２０が存在するため、略円筒部を回り込む樹脂の流動抵抗となっているからであると考えられる。【００６４】
しかし、本実施例と比較すると、比較例２はウエルド１７の範囲が略円筒部の一部まで及んでおり、ウエルドが広範囲に発生する結果となった。前記領域は光学有効面である半球部５から外れてはいるが、パン方向にカメラを向けたときに視野の一部にかかってくるため、このようなウエルドはない方がカメラとしての品質が向上する。【００６５】
図９（ａ）、図９（ｂ）は充填完了直前のドームカバーの樹脂合流の状態を反ゲート側正面から見た図である。図９（ａ）は比較例２のドーム型カバーである。図９（ｂ）は本実施例のドーム型カバーである。【００６６】
本実施例と比較して、比較例２は反ゲート側の薄肉部の上部幅ｇが狭くなっている。このため、図９（ａ）に示すように、最終充填部において樹脂合流角ａを広げる効果が少ないため、樹脂合流角度ａが十分鈍角にならずにウエルド１７がより広範囲に残存した。【００６７】
本実施例は比較例２と比べて、薄肉部による体積減少がほぼ同等、すなわち製品強度がほぼ同等であるにもかかわらず、比較例２よりもウエルド抑制効果が高いことが確認された。ウエルド抑制効果を効果的に得るためには、反ゲート側にて略円筒部の可能な限り高い位置で、薄肉部２０の上部幅ｇを形成する必要がある。前記上部幅ｇのサイズは必要製品強度やウエルドの程度によって適宜調整する。【００６８】
本実施例では製品の外観から目視出来ない位置に薄肉部を設けたが、製品性能上、デザイン上の制約が無ければ、半球部の境界に近い位置に設けることも可能である。【００６９】
本発明は上記実施の形態に制限されるものではなく、本発明の精神及び範囲から離脱することなく、様々な変更及び変形が可能である。従って、本発明の範囲を公にするために以下の請求項を添付する。
【符号の説明】
【００７０】
１  上下傾き方向（チルト）
２  旋回方向（パン）
４  ドーム型カバー
５  光学有効領域（半球部）
６  略円筒形状
７  ツバ部
８  カバー鏡筒
９  レンズ鏡筒
２０  薄肉部
２１  ランナー
２５  凸面型
２９  凹面型
３１  ドーム型カバー
３３  ストリッパープレート
【図１】
0006532484.tif 000002
【図２】
0006532484.tif 000003
【図３】
0006532484.tif 000004
【図４】
0006532484.tif 000005
【図５】
0006532484.tif 000006
【図６】
0006532484.tif 000007
【図７】
0006532484.tif 000008
【図８】
0006532484.tif 000009
【図９】
0006532484.tif 000010
【図１０】
0006532484.tif 000011
【図１１】
0006532484.tif 000012
【図１２】
0006532484.tif 000013